(57)【要約】      （修正有）【課題】土嚢のように土壌の飛散、建造物等に対する加重負担、土嚢の腐敗破片による環境汚染、初期費用の高騰化、更には苗の生長の阻害や雑草が生えることのないようないわゆる多肉植物に特に有用な育成用の苗床を提供する。【解決手段】土壌を収納した透水性、通気性および耐候性を有する不織布からなり、表面に苗植え用の穴３とその穴３の閉塞手段５とを有した袋状の苗床とする。閉塞手段５としては、苗の茎を取り巻き苗の成長に合わせて開口が広がる略円扇形シートとか、ゲル状物質とか、あるいはファスナー（滑り式留金具）１０１とするものであり、そのファスナー１０１として１ファスナーの中に複数のスライダーを設けたものである。【選択図】図１
2011019466.tif 000002
【特許請求の範囲】
【請求項１】
土壌を収納した透水性、通気性および耐候性を有する不織布からなり、表面に苗植え用の穴と該穴の閉塞手段とを有したことを特徴とする袋状の苗床。
【請求項２】
前記閉塞手段は苗の茎を取り巻き苗の成長に合わせて開口が広がる略円扇形シートであることを特徴とする前記請求項１記載の苗床。
【請求項３】
前記閉塞手段はゲル状物質であることを特徴とする前記請求項１記載の苗床。
【請求項４】
前記閉塞手段はファスナーであることを特徴とする前記請求項１記載の苗床。
【請求項５】
前記閉塞手段のファスナーは１ファスナーの中に複数のスライダーを有していることを特徴とする前記請求項４記載の苗床。
【請求項６】
前述した袋状の苗床は土壌等を入れるための開口を有し、その開口にはファスナーが設けられていることを特徴とする前記請求項１記載の苗床。
【請求項７】
前記不織布はガラス繊維を主材とするものであることを特徴とする前記請求項１記載の苗床。
【請求項８】
前述した袋状の苗床は周縁部に係止部を有したことを特徴とする前記請求項１記載の苗床。
【請求項９】
前記係止部は屋上等に張られたワイヤー等の吊具に係止する透孔であることを特徴とする前記請求項８記載の苗床。
【請求項１０】
土壌を収納した透水性、通気性および耐候性を有する不織布からなり、表面に苗植え用の穴と該穴の閉塞手段と、周縁部に係止部を有した袋状の苗床を、該苗床が屋根又は屋上の面に全面が固着されないように前記係止部で吊具に保持されたことを特徴とする苗床を用いた緑化システム。
【請求項１１】
土壌を収納した透水性、通気性および耐候性を有する不織布からなり、表面に苗植え用の穴と該穴の閉塞手段と周縁部に係止部を有した袋状の苗床を、予め側壁に設けられた凹部に表面が側面開放部に向くようにはめ込まれ前記係止部で保持されたことを特徴とする苗床を用いた緑化システム。
【発明の詳細な説明】
【技術分野】
【０００１】
本発明は、特に多肉植物を用いるのに好適な苗床及び苗床を用いた緑化システムに関する。
【背景技術】
【０００２】
従来より、屋上緑化や法面緑化の技術が多く提案され実用化されており、樹木で屋上緑化をする場合には屋上に直接土壌を敷き均して植樹し、その際に土壌量を少なくしても樹木などが倒れないで根を張るための方法などが提案されている。一方で、植えた直後から緑化効果を訴えることが出来る方法として、セダムや苗木を植えた土嚢を緑化希望部分に設置することが提案されている。土嚢を用いる方法は多くあるが、例えば特開平１０−１６５０１４号公報には生分解性の布又は不織布からなる土嚢袋に抗菌処理を施して苗木を入れるものが開示されている（先行技術文献１）。他にも光又は微生物で分解する素材の袋を用いる技術や、その袋あるいはそこに入れる土壌を高温処理や抗菌処理をして利用するものは数多く存在している。
【先行技術文献】
【特許文献】
【０００３】
【特許文献１】特開平１０−１６５０１４号公報
【発明の概要】
【発明が解決しようとする課題】
【０００４】
しかし、このような土嚢を用いる場合は、比較的短期間で土壌収納袋が腐敗し、中の土壌が周りの土壌と親和して苗が本来存在した土壌中に根を張ることを目的としており、土嚢の腐敗速度によっては育成用土壌が飛散してしまい、育成に必要な栄養素が欠落することになり易い。十分な土壌量を確保すると屋上緑化や壁面緑化では建造物に対する加重負担が大きくなり建造物の劣化を早めてしまう。また一度に全ての土嚢袋がなくなるわけではないから土嚢の腐敗破片が飛び散って周辺が一時的とはいえ汚染され、緑化の価値を低減させるばかりか、更には屋上緑化などにおいてはこれら土壌などが屋上の外壁を傷めることとなり好ましくない。
【０００５】
更には土壌や土嚢を抗菌処理しているので、初期費用の高騰化を招き、更には抗菌処理の加熱や薬品は苗の生長に有益な微生物まで殺してしまう。そして抗菌処理効力が切れる頃には雑草が生えることとなり、しかもそれは発芽する土嚢切り口で抗菌効果が早期に失われ苗の根元で雑草が芽を出すこととなり、苗の生育のための栄養分を雑草が奪うと共に、所望の苗の育成（茎の太りや株分け）を雑草が阻害することとなる。これを防ぐために苗の茎の周辺を予めプラスチック円盤などで固定する蓋状のものが市販されているが、雑草を抑える効果はあるものの、プラスチックの蓋は苗の茎を固定してしまうので、苗の成長、特に茎部が太くなると株別れを阻害する。
【課題を解決するための手段】
【０００６】
本発明は上述の点を含め検討し、またいわゆる多肉植物であれば必要な土壌量が他の樹木などに比較して少なくて済むことに着目してなされたもので、土壌を収納した透水性、通気性および耐候性を有する不織布からなり、表面に苗植え用の穴とその穴の閉塞手段とを有した袋状の苗床を提供するもので、好ましくは閉塞手段としては、苗の茎を取り巻き苗の成長に合わせて開口が広がる略円扇形シートとか、ゲル状物質とか、あるいはファスナー（滑り式留金具）とするものであり、そのファスナーとして１ファスナーの中に複数のスライダーを設けたものである。
【０００７】
また袋状の苗床として好ましくは、土壌等を入れるための開口を有し、その開口にはファスナーを設け、不織布はガラス繊維を主材とし、周縁部に係止部を設けたもので、その係止部は屋上等に張設置されたワイヤー等の吊具に係止する透孔とするものである。
【０００８】
そして屋上緑化用には、このような土壌を収納した透水性、通気性および耐候性を有する不織布からなり、表面に苗植え用の穴と該穴の閉塞手段と、周縁部に係止部を有した袋状の苗床を、その苗床が屋根又は屋上の面に固着されないよう係止部で保持することとし、また壁面緑化用には、予め側壁に設けられた凹部に表面が側面開放部に向くようにはめ込み、係止部で保持するものである。
【発明の効果】
【０００９】
本発明は、透水性、通気性および耐候性を有する不織布で袋状の苗床を作るので、経時変化によって苗床が腐敗して飛散することもなく、苗植え用の穴の閉塞手段によって苗床の土壌が飛散することも、また雑草が生えることも十分に抑制できる。そして苗の茎を取り巻き苗の成長に合わせて開口が広がる略円扇形シートや、ゲル状物質やファスナーは苗の生長にあわせて後退、開口拡大するので、苗の生長を阻害することがなく、必要に応じて肥料なども注入できる。その１ファスナーの中に複数のスライダーを設けることによってファスナーの隅に苗を位置させる必要がなく、また苗の育成に応じて開口を容易にすることが可能となり、１ファスナーに複数の苗をそれぞれ独立させて配置することもできる。
【００１０】
また袋状の苗床として、ファスナーを持った土壌等を入れるための開口を有することで設営作業性が上がるだけではなく、設営数年後の栄養素や土壌の補給も容易となる。また建造物によっては耐火構造をなしているものもあるが、不織布としてガラス繊維を主材としておけば緑化部分を含めて難燃性を保つことが出来る。そして苗床の袋の周縁部に係止部を設けることで、建造物を傷めないように設置することや連続面的に敷設すること、そして劣化が生じた場合の交換が容易となる。
【００１１】
そしてこのような袋状の苗床は、屋上緑化において苗床が屋根又は屋上に係止保持されるにあたって全面が固着されないので、建造物の屋上面を直接いためることもなく、無理な荷重を防ぐことも可能となる。そして屋上面を吹き直しなどするときには苗床の一次撤去も容易である。また予め側壁に設けられた凹凸状側面の凹部に表面が側面開放部に向くようにはめ込み係止部で保持することでガードレールやトンネル、あるいは建物の側壁などの壁面緑化を行うことが出来、この場合も壁面やガードレールの荷重負担を軽減し、植物の育成は阻害されることもなく、雑草のきわめて少ない均質な緑化が行うことができる。
【図面の簡単な説明】
【００１２】
【図１】本発明の実施例の袋状の苗床の斜視図
【図２】本発明の実施例の袋状の苗床の断面図
【図３】本発明の実施例に用いる略円扇状シートの斜視図
【図４】本発明の他の実施例を示す袋状の苗床の断面図
【図５】本発明の第３の実施例を示す袋状の苗床の平面図
【図６】本発明の第４の実施例を示す袋状の苗床の平面図
【図７】本発明に係る屋上緑化の説明図
【図８】本発明に係る壁面緑化の説明図
【発明を実施するための形態】
【００１３】
本発明においては、土壌を収納した透水性、通気性および耐候性を有する、ポリプロピレン、ガラス繊維などからなる不織布の袋状の苗袋に、表面に苗植え用の穴を設け、その穴に略円扇形シートとか、ゲル状物質とか、あるいはファスナー（滑り式留金具）などの閉塞手段を設けたもので、その苗のための穴の裏側にあたる袋部分に土壌等を入れるための開口を有し、周縁部に係止部を設けたものである。そしてそのような係止部は屋根又は屋上に宙吊りに固定をしたり、凹凸状側面の凹部に表面が側面開放部に向くようにはめ込むように用いられる。以下、実施例を詳細に説明する。
【実施例】
【００１４】
図１は本発明の第１の実施例の袋状の苗床の斜視図で、図２はその断面図、図３はそれに用いる略円扇状シートからなる閉塞手段５１の斜視図である。これらの図において、１０は、土壌２を収納した透水性、通気性および耐候性を有する不織布からなる袋状の苗床である。また土壌２としては、例えば黒土、鹿沼土、バーク、肥料その他の混合物であって、苗床内で苗７が根を張り育成させるのが目的なので、袋の外の土壌に根を張らせる従来の緑化事業のような肥料のみを入れるものではない。
【００１５】
袋状の苗床１０の不織布は、例えばポリプロピレン多層スパンバンドからなるが、他にもアラミド繊維、ガラス繊維、セルロース繊維、ナイロン繊維、ビニロン繊維、ポリエステル繊維、ポリオレフィン繊維、レーヨン繊維などを用いることが出来る。これらの材質を用いるときの条件は、苗７の育成に必要な水分と、空気が生地を透過することのほか、耐候性が必要で、例えば日本国内の通常の天候管理下で１０年間腐敗しないことが望ましい。これは苗床１０はあくまで地面や屋上と独立して苗の育成を行うからである。腐敗しない１０年間というのはあくまでも目安で、上述したポリプロピレン不織布では１５年以上の実績を持つし、本発明では以下の説明でも理解されるように、苗７と苗床１０をまとめて新規なものに交換できるので、もっと短期間となっても良いが、耐候性は必要である。
また緑化施工する建造物が耐火性を維持することが要求される場合があるが、この場合には苗床１は、建造物の耐火性を損なわないようにする必要がある。この場合には、不織布の材料としてガラス繊維の含有量を高くし、例えば９０％以上がガラス繊維としてスパンバンド加工で不織布を形成するのがよい。
【００１６】
袋状の苗床１０は例えば幅５０ｃｍ長さ１ｍの不織布を半分に折り、周縁をミシンで二重に縫ったものであり、縫い目１０３の内側には適宜、透孔周縁がほつれないようにハトメで補強された透孔からなる係止部４１が設けてある。袋状の苗床１０は土壌２を入れてからミシン縫いして密閉袋状に形成しても良いが、好ましくは袋状の苗床１０には、裏面などに土壌等を入れるための開口１０１を有し、その開口１０１にはファスナー１０２を設けておけば、袋への土壌の充填作業性が良くなるだけでなく、設営数年後の土壌の補充や栄養素の補給に便利である。周縁部に設けた係止部４１は屋上等に張って設置されたワイヤー等の吊具に係止するのに好適であるが、これは従来の緑化と異なり、元々地盤とか建造物を傷めないように袋状の苗床１を固定するのに非常に有用である。
袋状の苗床１の表面には、苗植え用の穴３とその穴３の閉塞手段５が設けられている。穴５はカッターなどで切りつけて開口した簡易なものでよい。必要に応じてレーザーカッ
ターなどで切り口がほつれないようにしてもよいが、閉塞手段５を用いるのでそのような配慮はあまり必要がないと思われる。
【００１７】
閉塞手段５としては、例えば苗の茎を取り巻き苗の成長に合わせて開口が広がる略円扇形シートからなる閉塞手段５１が利用できる。これは丈夫な紙とか薄手の不織布で円形に構成５１１し、中心に苗の茎が入る透孔５１２を設けて、内輪のように広がる扇のように少なくとも一半径状に切り込み５１３をいれ、これを笠のように切り込み５１３部分を重ねたもので構成している。
【００１８】
穴３に差し込む苗７としては、根の部分に発芽土がついたまま差し込むものなどでよいが、いわゆる多肉植物であれば必要な土壌量が他の樹木などに比較して少なくて済むので好ましい。その多肉植物とはサボテン科、アロエ科、ハマミズナ科、ベンケイソウ科などがあるが、緑化に適したものを選択すればよく、例えばベンケイソウ科で常緑のもの、品種登録されたもので具体的に例示すればトットリフジタ１号などが好ましい。
【００１９】
このような構成において、特に閉塞手段５は、図４に示すようなゲル状物質からなる閉塞手段５２でも良い。ゲル状物質からなる閉塞手段５２としては、例えば、湿気凝固型のプレポリマーを主体とする高分子ゲル化剤とか、寒天溶液中にアルギン酸ナトリウムを配合してなるゲル状物質とか、水溶性ポリマーと加水分解絹タンパク質、または一部が水に溶解する絹たんぱく質とをブレンドし、水に溶解した後電離性放射線で照射を行うハイドロゲルなどを用いることが出来る。
これらの閉塞手段５に好適なゲル状物質としては、雑草抑制力があり、袋地と土壌の隙間に充填でき、苗の育成に応じて形状が変形するものが良い。しかし苗床１の素材と異なり１０年もの耐候性は不要で、苗の生長が進むにつれて溶解してしまうものでも良い。
【００２０】
図５は本発明の他の実施例を示すもので、袋状の苗床１１に設けた穴３の閉塞手段５としてファスナー（滑り式留金具）６とするものであり、また係止部４は紐からなる係止部４２としている。そのファスナー６は金属ファスナー６は金属ファスナー、コイルファスナー（樹脂ファスナー）、プラスティックファスナーなどが利用できるが、耐候性や、中に充填されたものが土壌２であることを考慮すると樹脂製のファスナーが好ましく、金属ファスナーの場合は腐食し難い材質や表面処理を施すことが好ましい。
ファスナー６は通常一つのスライダーしかついていないので、苗７の茎がファスナー６の端に位置できるようにファスナーの位置を配慮したほうが良い。このようにファスナーを使うことで苗の茎を締め付けることなく穴３を閉塞することが出来、茎の成長に応じてファスナー６の開口を広げることが出来るが、更にはそのファスナー６のスライダーの滑り具合によっては、茎の成長でスライダーが後退し、自動的に開口の大きさが変えられることにもなる。
【００２１】
より好ましい方法として、ファスナー６のほぼ中央部が開口するように、スライダー６１を二つ設けることである。これにより、苗７を土壌２中に差し込みやすくなり、その配置の自由度も向上するので、芽の伸び具合・葉の茂り具合を考慮しながら苗７を植えるなど、全面均一緑化に有用である。
【００２２】
図６は図５の実施例を更に発展させたもので穴３０を長尺とし、ファスナー６０を、苗（図示せず）を植える列ごとに一本として、それぞれ苗を植えたい場所にスライダー６０１の対を配置したものである。また係止部４は袋状の苗床１２の四隅に設けたフックからなる係止部４３を例示している。ファスナー６、６０は、一般に壊れると修繕が困難で交換するしかないのが、本発明におけるファスナー６、６０は服飾と異なり頻繁に開閉するものではないので、一連化にしてファスナー６０の縫製作業を容易にする方が効率的であり、また緑化条件によって苗の間隔や本数が決まるので、１列１連であればそれに合わせた苗の配置が選択できるという長所がある。
【００２３】
上述したような袋状の苗床１は、図７に示すように苗床が屋根又は屋上８に苗床袋の全面が密着固定しないように係止部４で保持することで屋上緑化を達成できるので、建造物の屋上面を直接いためることもなく、無理な荷重を防ぐことも可能となる。そして屋上面を吹き直しなどするときには苗床の一次撤去も容易である。この場合には、屋上の周縁にある突出梁８１が丈夫（堅牢）であることを考慮してこれに吊具８２を設ける。吊具８２は、フック上の係合具８２１を突出梁８１に固定し、この係合具８２１にワイヤー８２を張って、そのワイヤー８２２に袋状の苗床１の係止部４を係止するなどして構成すればよい。
【００２４】
また予め側壁９０に設けられた凹部９１に表面が側面開放部に向くように袋状の苗床１をはめ込み、係止部４で保持することでガードレールやトンネル、あるいは建物の側壁などの壁面緑化を行うことが出来る。凹部は上方に開口したレール状のものでも良い。レールに対しては係止部は縫い目から先の縫い代部分が相当する場合もある。これらの場合も壁面９やガードレールの荷重負担を軽減し、植物の育成は阻害されることもなく、雑草のきわめて少ない均質な緑化が行うことができる。
【産業上の利用可能性】
【００２５】
本発明によれば、雑草の生えにくく、緑化の寿命の長い、しかも建造物の過重負担の少ない、屋上緑化や壁面緑化に有用な苗床を提供できる。
【符号の説明】
【００２６】
１、１０、１１、１２  苗床
２  土壌
３、３０  穴
４  係止部
４１  （透孔からなる）係止部
４２  （紐からなる）係止部
４３  （フックからなる）係止部
５  閉塞手段
５１  （略円扇状シートからなる）閉塞手段
５２  （ゲル状物質からなる）閉塞手段
６、６０  ファスナー
６１、６０１  スライダー
７  苗
８  屋上
８２  吊具
９  壁面
９０  側壁
９１  凹部  
１０１  開口
１０２  ファスナー
１０３  縫い目
【図３】
2011019466.tif 000003
【図５】
2011019466.tif 000004
【図６】
2011019466.tif 000005
【図７】
2011019466.tif 000006
【図１】
2011019466.tif 000007
【図２】
2011019466.tif 000008
【図４】
2011019466.tif 000009
【図８】
2011019466.tif 000010